【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
インクジェット・プリンタ装置であって、
第１の縦寸法、第１の横寸法及び第１の抵抗を有し、前記第１の縦寸法と前記第１の横寸法が約０．８：１．０〜約１．２：１．０である第１の抵抗加熱要素を、第１のオリフィスを有する第１のインク収容チャンバ内に含む第１の印刷カートリッジと、
第２の縦寸法、第２の横寸法及び第２の抵抗を有し、前記第２の縦寸法と前記第２の横寸法の比が約１．５：１．０以上である第２の抵抗加熱要素であり、前記第２の抵抗と前記第１の抵抗の比が１．２：１以上である第２の抵抗加熱要素を、第２のオリフィスを有する第２のインク収容チャンバ内に含む第２の印刷カートリッジと、
前記第１及び第２の印刷カートリッジに電気的に結合され、前記第１及び第２の加熱要素の内の１つに選択的に発動パルスを印加するドライバ回路であり、前記第１の加熱要素に印加された前記発動パルスが、前記第１のチャンバのオリフィスから第１の大きさのインク小滴を噴出させるような蒸気泡を前記第１のチャンバ内に発生させ、前記第２の加熱要素に印加された前記発動パルスが、前記第２のチャンバのオリフィスから、前記第１の大きさより小さい第２の大きさのインク小滴を噴出させるような蒸気泡を前記第２のチャンバ内に発生させるドライバ回路と、
を備えるインクジェット・プリンタ装置。
【請求項２】
前記第１の加熱要素が第１の表面積を有し、前記第２の加熱要素が第２の表面積を有し、前記第２の表面積と前記第１の表面積の比が約０．４〜約０．８である、請求項１に記載のインクジェット・プリンタ装置。
【請求項３】
前記第１の印刷カートリッジが、
前記第１のオリフィスを画定する複数の第１の開口が形成された第１のプレートと、
前記複数の第１の抵抗加熱要素がその上に形成された第１の加熱チップであり、前記第１のプレートのセクション及び当該第１の加熱チップの部分が前記複数の第１のインク収容チャンバを画定するように、前記第１のプレートが当該第１の加熱チップに結合され、前記第１のインク収容チャンバのそれぞれがその内部に前記第１の加熱要素の１つを有するように、前記複数の第１の抵抗加熱要素が当該第１の加熱チップ上に配置されていることから成る第１の加熱チップと、
を備える、請求項１に記載のインクジェット・プリンタ装置。
【請求項４】
前記第２の印刷カートリッジが、
複数の第２の開口が形成された第２のプレートと、
前記複数の第２の抵抗加熱要素がその上に形成された第２の加熱チップであり、前記第２のプレートのセクション及び当該第２の加熱チップの部分が前記複数の第２のインク収容チャンバを画定するように、前記第２のプレートが当該第２の加熱チップに結合され、前記第２のインク収容チャンバのそれぞれがその内部に前記第２の加熱要素の１つを有するように、前記複数の第２の抵抗加熱要素が当該第２の加熱チップ上に配置されていることから成る第２の加熱チップと、
を備える、請求項３に記載のインクジェット・プリンタ装置。
【請求項５】
前記第１の印刷カートリッジが第１印刷カートリッジ・イネーブル回路を更に含み、前記第２の印刷カートリッジが、第２印刷カートリッジ・イネーブル回路を更に含み、それら第１及び第２印刷カートリッジ・イネーブル回路の各々が少なくとも１つのトランジスタを含む、請求項１に記載のインクジェット・プリンタ装置。
【請求項６】
前記複数の第１の抵抗加熱要素が、第１の抵抗加熱要素の少なくとも２つのグループに分割され、前記第１の印刷カートリッジが、前記複数の第１の加熱要素及び前記第１の印刷カートリッジ・イネーブル回路に電気的に結合された第１の加熱要素駆動回路を更に含むことと、
前記複数の第２の抵抗加熱要素が、第２の抵抗加熱要素の少なくとも２つのグループに分割され、前記第２の印刷カートリッジが、前記複数の第２の加熱要素及び前記第２の印刷カートリッジ・イネーブル回路に電気的に結合された第２の加熱要素駆動回路を更に含むことと、
前記ドライバ回路が、前記第１及び第２の加熱要素駆動回路に電気的に結合された前記第１及び第２の印刷カートリッジ・イネーブル回路に電気的に結合され、前記第１の加熱要素の前記２つのグループのうちの１グループ及び前記第２の加熱要素の前記２つのグループのうちの１グループを選択する抵抗加熱要素グループ選択回路を更に含むことと、
を含むことから成る、請求項５に記載のインクジェット・プリンタ装置。
【請求項７】
前記第１の印刷カートリッジが、インクが充填された第１のリザーバを更に含み、前記第２の印刷カートリッジが、インクが充填された第２のリザーバを更に含む、請求項１に記載のインクジェット・プリンタ装置。
【請求項８】
前記第１及び第２のリザーバがインクを再充填することができる、請求項７に記載のインクジェット・プリンタ装置。
【請求項９】
第１の抵抗、第１の表面積、約０．８：１．０〜約１．２：１．０の比である第１の縦寸法及び第１の横寸法を有する略正方形の第１の抵抗加熱要素を、第１のオリフィスを有する第１のインク収容チャンバ内に含むと共に第１印刷カートリッジ・イネーブル回路を更に含む１第１の印刷カートリッジと、
第２の抵抗、第２の表面積、約１．５：１．０以上の比である第２の縦寸法及び第２の横寸法を有し、前記第２の抵抗と前記第１の抵抗の比が約１．２：１以上である略長方形の第２の抵抗加熱要素を、第２のオリフィスを有する第２のインク収容チャンバ内に含むと共に第１印刷カートリッジ・イネーブル回路を更に含む第２の印刷カートリッジと、
前記第１及び第２の印刷カートリッジに電気的に結合され、前記第１及び第２の加熱要素の内の１つに選択的に発動パルスを印加するドライバ回路であり、前記第１の加熱要素に印加された前記発動パルスが、前記第１のチャンバのオリフィスから第１の大きさのインク小滴を噴出させるような蒸気泡を前記第１のチャンバ内に発生させ、前記第２の加熱要素に印加された前記発動パルスが、前記第２のチャンバのオリフィスから、前記第１の大きさより小さい第２の大きさのインク小滴を噴出させるような蒸気泡を前記第２のチャンバ内に発生させるドライバ回路と、
を備えるインクジェット・プリンタ装置。
【請求項１０】
前記第２の加熱要素の表面積と前記第１の加熱要素の表面積との比が約０．４〜約０．８である、請求項９に記載のインクジェット・プリンタ装置。
【請求項１１】
前記第１の印刷カートリッジが、複数の第１の抵抗加熱要素及び複数の第１のインク収容チャンバを含み、前記第２の印刷カートリッジが、複数の第２の抵抗加熱要素及び複数の第２のインク収容チャンバを含み、前記第１のインク収容チャンバのそれぞれが、第１のオリフィスを有し、前記第２のインク収容チャンバのそれぞれが第２のオリフィスを有する、請求項１或は９に記載のインクジェット・プリンタ装置。
【請求項１２】
第１印刷カートリッジ・イネーブル回路が少なくとも１つのトランジスタを含み、前記第２印刷カートリッジ・イネーブル回路が少なくとも１つのトランジスタを含む、請求項１１に記載のインクジェット・プリンタ装置。
【請求項１３】
第１の表面積、約０．８：１．０〜約１．２：１．０の比である第１の縦寸法及び第１の横寸法を有する略正方形の第１の抵抗加熱要素を、第１のオリフィスを有する第１のインク収容チャンバ内に含むと共に第１印刷カートリッジ・イネーブル回路を更に含む１第１の印刷カートリッジと、
第２の表面積、約１．５：１．０以上の比である第２の縦寸法及び第２の横寸法を有し、前記第２の表面積が前記第１の表面積よりも小さい略長方形の第２の抵抗加熱要素を、第２のオリフィスを有する第２のインク収容チャンバ内に含むと共に第１印刷カートリッジ・イネーブル回路を更に含む第２の印刷カートリッジと、
前記第１及び第２の印刷カートリッジに電気的に結合され、前記第１及び第２の加熱要素の内の１つに共通駆動回路を介して選択的に発動パルスを印加するドライバ回路であり、前記第１の加熱要素に印加された前記発動パルスが、前記第１のチャンバのオリフィスから第１の大きさのインク小滴を噴出させるような蒸気泡を前記第１のチャンバ内に発生させ、前記第２の加熱要素に印加された前記発動パルスが、前記第２のチャンバのオリフィスから、前記第１の大きさより小さい第２の大きさのインク小滴を噴出させるような蒸気泡を前記第２のチャンバ内に発生させるドライバ回路と、
を備えるインクジェット・プリンタ装置。
【請求項１４】
前記第２の加熱要素の前記第２の縦寸法及び第２の横寸法の比が１．２：１．０以上である、請求項請求項１３に記載のインクジェット・プリンタ装置。
【請求項１５】
前記第１の印刷カートリッジが、複数の第１の抵抗加熱要素及び複数の第１のインク収容チャンバを含み、前記第２の印刷カートリッジが、複数の第２の抵抗加熱要素及び複数の第２のインク収容チャンバを含み、前記第１のインク収容チャンバのそれぞれが第１のオリフィスを有し、前記第２のインク収容チャンバのそれぞれが第２のオリフィスを有する、請求項１３に記載のインクジェット・プリンタ装置。
【請求項１６】
前記第１印刷カートリッジ・イネーブル回路が少なくとも１つのトランジスタを含み、前記第２印刷カートリッジ・イネーブル回路が少なくとも１つのトランジスタを含む、請求項１５に記載のインクジェット・プリンタ装置。
【請求項１７】
前記ドライバ回路が、
前記第１印刷カートリッジ・イネーブル回路及び前記第２印刷カートリッジ・イネーブル回路に電気的に結合され、前記第１の印刷カートリッジ及び前記第２の印刷カートリッジの内の１つを選択的に使用可能状態にする印刷カートリッジ選択回路と、
前記共通駆動回路が、前記複数の第１の抵抗加熱要素及び前記複数の第２の抵抗加熱要素に電気的に結合されていることと、を含む、請求項１、１１、１５の内の何れか一項に記載のインクジェット・プリンタ装置。
【請求項１８】
前記複数の第１の抵抗加熱要素が、第１の抵抗加熱要素の少なくとも２つのグループに分割され、前記第１の印刷カートリッジが、前記複数の第１の加熱要素及び前記第１の印刷カートリッジ・イネーブル回路に電気的に結合された第１の加熱要素駆動回路を更に含むことと、
前記複数の第２の抵抗加熱要素が、第２の抵抗加熱要素の少なくとも２つのグループに分割され、前記第２の印刷カートリッジが、前記複数の第２の加熱要素及び前記第２の印刷カートリッジ・イネーブル回路に電気的に結合された第２の加熱要素駆動回路を更に含むことと、
前記ドライバ回路が、前記第１及び第２の加熱要素駆動回路に電気的に結合された前記第１及び第２の印刷カートリッジ・イネーブル回路に電気的に結合され、前記第１の加熱要素の前記２つのグループのうちの１グループ及び前記第２の加熱要素の前記２つのグループのうちの１グループを選択する抵抗加熱要素グループ選択回路を更に含むことと、
を含むことから成る、請求項１７に記載のインクジェット・プリンタ装置。
【請求項１９】
第１の表面積、第１の抵抗、約０．８：１．０〜約１．２：１．０の比である第１の縦寸法及び第１の横寸法を有する略正方形の第１の抵抗加熱要素を、第１のオリフィスを有する第１のインク収容チャンバ内に含むと共に第１印刷カートリッジ・イネーブル回路を更に含む１第１の印刷カートリッジと、
第２の表面積、第２の抵抗、約１．５：１．０以上の比である第２の縦寸法及び第２の横寸法を有し、前記第２の表面積が前記第１の表面積よりも小さい略長方形の第２の抵抗加熱要素を、第２のオリフィスを有する第２のインク収容チャンバ内に含むと共に第１印刷カートリッジ・イネーブル回路を更に含む第２の印刷カートリッジと、
前記第１及び第２の印刷カートリッジに電気的に結合され、前記第１及び第２の加熱要素に共通駆動回路を介して略同等の持続時間の電圧パルスを印加するドライバ回路であり、前記第１の加熱要素の加熱エネルギー密度が、前記第２の加熱要素の加熱エネルギー密度と実質的に同じであることから成るドライバ回路と、
を備えるインクジェット・プリンタ装置。
【請求項２０】
前記電圧パルス画が略同等の振幅を有する、請求項１９に記載のインクジェット・プリンタ装置。
【請求項２１】
前記第１及び第２の加熱要素が、面積抵抗が実質的に等しい層材料セクションを含む、請求項１９に記載のインクジェット・プリンタ装置。
【請求項２２】
前記第２の加熱要素の第２の抵抗と前記第１の加熱要素の第１の抵抗との比が、約１．２：１以上である、請求項１或は１９に記載のインクジェット・プリンタ装置。